(57)【要約】【課題】庇20が取り付けられる建物10の構造部材（胴差18）の捻れの発生を抑えることができ、庇20が取り付けられる部分の強度及び剛性を向上させ、庇20を薄くすることができ、建物10の自由度を増加させ、意匠的に優れた庇20や建物10にすることができるようにした庇20の取付構造を提供する。【解決手段】建物10の胴差18に庇20を取り付けるための庇20の取付構造であって、庇20は、建物10の胴差18に取り付けられる取付部24を有し、取付部24は、胴差18の成未満の範囲に取り付けられ、胴差18の上端に２階床の床下地材52が固定されていることを特徴とする。【選択図】図１
2015209681.tif 000002
【特許請求の範囲】
【請求項１】
建物の胴差に庇を取り付けるための庇の取付構造であって、
前記庇は、前記建物の胴差に取り付けられる取付部を有し、
前記取付部は、前記胴差の成未満の範囲に取り付けられ、
前記胴差の上端に２階床の床下地材が固定されていることを特徴とする庇の取付構造。
【請求項２】
前記床下地材の下面には、横架材が固定されていることを特徴とする請求項１記載の庇の取付構造。
【請求項３】
前記胴差と前記横架材との間には、両者を固定するための補強材が設けられ、
前記補強材の一端が前記胴差の上部に固定され、前記補強材の他端が前記横架材に固定され、
前記補強材の上部が前記床下地材に固定されていることを特徴とする請求項２記載の庇の取付構造。
【請求項４】
前記庇は、
前記取付部を有して縦方向に立てた状態で前記胴差に取り付けられる複数の片持ち用板部材と、
前記複数の片持ち用板部材間を覆う屋根部材とを備えていることを特徴とする請求項１、２又は３に記載の庇の取付構造。
【請求項５】
前記補強材の一端は、前記胴差の前記片持ち用板部材が固定された位置の建物側の位置に固定されていることを特徴とする請求項４に記載の庇の取付構造。
【発明の詳細な説明】
【技術分野】
【０００１】
本発明は、建物の外側の壁に設けられる庇の取付構造に関する。
【背景技術】
【０００２】
近年、建物の玄関や窓等の開口部の上の壁に設けられる庇の取付構造として、庇を構成する庇構造体が、胴差や床根太等の２階の床を構成する構造材（以下、「床構造材」とする。）と、玄関の上部の開口上部構造材（いわゆるまぐさ）とに固定される技術が提案されている（たとえば特許文献１。）。
特許文献１に記載された従来技術では、２階の床構造材に固定される上弦材と、玄関のまぐさに固定される下弦材とにより庇トラスが形成されている。
【先行技術文献】
【特許文献】
【０００３】
【特許文献１】特開２００４−３００８０１号公報
【発明の概要】
【発明が解決しようとする課題】
【０００４】
通常、胴差だけに庇を取り付けようとしても、庇の重みが増加したり庇の建物の外側への突出長さが増加すると、胴差を回転させようとする力（力のモーメント）が加わって胴差を捻るように変形させてしまう。すなわち、通常の胴差だけでは、庇の重量を支えることができる強度や、剛性を確保することが難しいという問題点がある。
また、上記特許文献１の従来技術にあっては、建物の玄関や窓等の開口部が設けられていない箇所では、玄関等の開口部上部のまぐさが無いため、庇の下弦材を壁体に固定しなければならず、そのような箇所では強度や、剛性を確保することができないという問題点がある。また、庇を２階の床構造材と玄関等の開口部の上部のまぐさとの間に設けることになるので、２階の床構造材及びまぐさ間の距離と庇の厚さ方向（高さ方向）の寸法とを対応させる必要があり、建物の構造設計に制限が加わることになる。仮に前記距離が短すぎると、庇の重量による力やその力のモーメントを庇の上弦材及び下弦材が固定される建物の構造部材（２階の床構造材や、まぐさ等）で支えきれず（強度及び剛性を確保することができず）、庇が取り付けられる構造部材が捻れる等の変形が発生してしまう。前記距離が長すぎると、２階の床構造材とまぐさとの間の広いスペースを庇が占めることになり、建物外観（意匠）の設計に制限が加わることになる。
【０００５】
請求項１に記載の発明は、上記した従来の技術の有する問題点に鑑みてなされたものであり、その目的とするところは、庇が取り付けられる部材（胴差）の強度及び剛性を向上させ、庇が取り付けられる部材（胴差）の捻れの発生を抑えることができ、庇を薄くすることができ、設計の自由度を増加させ、意匠的に優れた庇や建物外観にすることができるようにした庇の取付構造を提供することを目的とする。
請求項２に記載の発明は、上記した請求項１に記載の発明の目的に加え、庇が取り付けられる部材（胴差）の剛性をより高くすることができ、結果として庇の重みによる胴差の変形をさらに抑えることができるようにした庇の取付構造を提供することを目的とする。
【０００６】
請求項３に記載の発明は、上記した請求項２に記載の発明の目的に加え、庇が取り付けられる部材（胴差）の剛性をさらに高めて胴差の変形をさらに抑えることができるようにした庇の取付構造を提供することを目的とする。
請求項４に記載の発明は、上記した請求項１、２又は３に記載の発明の目的に加え、全体として剛性が向上した庇を形成することができるようにした庇の取付構造を提供することを目的とする。
請求項５に記載の発明は、上記した請求項４に記載の発明の目的に加え、胴差の上部が建物の外側方向に引っ張られるような変形を効果的に抑えられるようにした庇の取付構造を提供することを目的とする。
【課題を解決するための手段】
【０００７】
（請求項１）
請求項１記載の発明は、建物10の胴差18に庇20を取り付けるための庇20の取付構造であって、前記庇20は、前記建物10の胴差18に取り付けられる取付部24を有し、前記取付部24は、前記胴差18の成未満の範囲に取り付けられ、前記胴差18の上端に２階床の床下地材52が固定されていることを特徴とする。
本発明では、２階床の床下地材52が胴差18の上端に固定されていることで胴差18が拘束される。これにより、庇20が取り付けられる部分（胴差18）の強度及び剛性を向上させることができ、胴差18の変形、特に庇20の重みが加わることによる（力のモーメントによる）胴差18の捻れを抑えることができる。
【０００８】
本発明では、胴差18の成の範囲だけで庇20を取り付けることができるため、庇20の建物の外側への突出長さが長くなっても、庇20の全体形状を厚さ方向に薄いものにすることができる。例えば、２階床の床構造材（床根太56や梁等）とまぐさとの間に庇20を設けるようなものと比較して、庇20の取付範囲（上下範囲）を小さな領域にまとめることができる。
また、本発明では、玄関12や窓16等の開口部のまぐさを庇20の取り付けに利用せずに、庇20の取付部24は胴差18の成の範囲に取り付けられている。このため、建物10の開口部の位置（まぐさの位置）等に制限が無く、建物10の構造設計の自由度が増す。具体的には、例えば、胴差18と開口部のまぐさとの距離を短くして、建物10の壁のほとんど全面に開口部（具体的には、例えば玄関12や正面開口部14等）を設けるようなことが可能となる。
【０００９】
これにより、庇20の設計の自由度が増し、意匠的に優れた庇20を設けることができ、建物10の設計の自由度も増加させることができる。
（請求項２）
請求項２記載の発明は、上記した請求項１記載の発明の特徴点に加え、前記床下地材52の下面には、横架材54が固定されていることを特徴とする。
床下地材52の下面に横架材54が固定されていることで床下地材52の剛性を高くすることができ、床下地材52の変形を抑えることができる。これにより、床下地材52が上端に固定されている胴差18の剛性をより高くすることができ、胴差18の変形も抑えることができる。
【００１０】
結果として庇20の重みによる胴差18の変形をさらに抑えることができる。
ここで、横架材54は、建物10の横方向に渡した構造部材であって、具体的には例えば床根太56や床小梁58等が含まれる。
（請求項３）
請求項３記載の発明は、上記した請求項２記載の発明の特徴点に加え、次の点を特徴とする。すなわち、前記胴差18と前記横架材54との間には、両者を固定するための補強材50が設けられ、前記補強材50の一端が前記胴差18の上部に固定され、前記補強材50の他端が前記横架材54に固定され、前記補強材50の上部が前記床下地材52に固定されていることを特徴とする。
【００１１】
本発明によれば、補強材50の一端は胴差18の上部に固定され、補強材50の他端は横架材54に固定され、補強材50の上部は床下地材52に固定されていることで、胴差18の上部と横架材54とが補強材50及び床下地材52により拘束される。これにより、庇20の重みで胴差18の上部が建物10の外側に変形することが抑えられ、胴差18の捻れの発生をさらに抑えることができる。
すなわち、胴差18が、床下地材52、補強材50及び横架材54により拘束されることで胴差18の剛性がさらに高められて胴差18の変形がさらに抑えられる。
【００１２】
（請求項４）
請求項４記載の発明は、上記した請求項１、２又は３に記載の発明の特徴点に加え、次の点を特徴とする。すなわち、前記庇20は、前記取付部24を有して縦方向に立てた状態で前記胴差18に取り付けられる複数の片持ち用板部材22と、前記片持ち用板部材22に固定されて前記複数の片持ち用板部材22間を覆う屋根部材30とを備えていることを特徴とする。
本発明では、片持ち用板部材22は縦方向に立てた状態で取付部24により胴差18に取り付けられている。屋根部材30は、複数の片持ち用板部材22に固定されて複数の片持ち用板部材22間を覆っている。片持ち用板部材22が、いわゆる壁構造となり、屋根部材30がそれらに固定されることで両者を拘束し、骨組構造により構成されるような庇20と比べても全体として剛性が向上した庇20を形成することができる。
【００１３】
（請求項５）
請求項５記載の発明は、上記した請求項４記載の発明の特徴点に加え、前記補強材50の一端は、前記胴差18の前記片持ち用板部材22が固定された位置の建物10側の位置に固定されていることを特徴とする。
補強材50の一端は、胴差18の片持ち用板部材22が固定された位置の建物10側の位置に固定されている。すなわち、胴差18の一方の面（建物の外側の面）に片持ち用板部材22の端部が取り付けられ、胴差18の他方の面（室内側の面）に補強材50の端部が取り付けられ、上から見ると（平面視で）胴差18を挟んで胴差18の両面に片持ち用板部材22と補強材50とが一直線になるように取り付けられていることになる。片持ち用板部材22が庇20の重みにより（力のモーメントにより）胴差18の上部を建物10の外側方向に引っ張り、全体として庇20を捻れさせるように胴差18を変形させようとしても、当該部分の胴差18の建物10側の上部に補強材50の一端が固定されていることで胴差18が拘束され、効果的に胴差18の上部の上述したような変形が抑えられる。すなわち、片持ち用板部材22が庇20の重みにより（力のモーメントにより）胴差18の上部を建物10の外側方向に引っ張っても、片持ち用板部材22と補強材50とが一直線に並んでいることで、その引っ張る力が加わる位置の胴差18部分の変形を補強材50により効果的に抑えることができる。
【発明の効果】
【００１４】
本発明は、以上のように構成されているので、以下に記載されるような効果を奏する。
請求項１記載の発明によれば、胴差の変形、特に庇の重みが加わることによる（力のモーメントによる）胴差の捻れを抑えて庇が取り付けられる部分の強度及び剛性を向上させることができる。さらに、取付部は胴差の成の範囲に取り付けられているため、庇の全体形状を厚さ方向に薄いものにすることができ、当該庇が取り付けられる建物の開口部の位置等の制限が無く、当該建物の構造設計の自由度を増すことができ、意匠的に優れた庇や、建物外観にすることができる庇の取付構造を提供することができる。
【００１５】
請求項２記載の発明によれば、上記した請求項１記載の発明の効果に加え、横架材により床下地材の剛性を高くすることができて床下地材の変形を抑えることができ、床下地材に固定されている胴差の剛性をより高くすることができ、胴差の変形も抑えることができる。結果として庇の重みによる胴差の変形をさらに抑えることができるようにした庇の取付構造を提供することができる。
請求項３記載の発明によれば、上記した請求項２記載の発明の効果に加え、胴差の上部と横架材との間の距離が補強材及び床下地材により拘束され、庇の重みで（力のモーメントにより）胴差の上部が建物の外側に変形移動することが抑えられ、胴差の捻れの発生をさらに抑えることができる。結果として、胴差が、床下地材、補強材及び横架材により拘束されることで庇が取り付けられる部分（胴差）の剛性をさらに高めて胴差の変形をさらに抑えることができるようにした庇の取付構造を提供することができる。
【００１６】
請求項４記載の発明によれば、上記した請求項１、２又は３に記載の発明の効果に加え、縦方向に立てた状態の片持ち用板部材が、壁構造となり、屋根部材が複数の片持ち用板部材を拘束することで、全体として剛性が向上した庇を形成することができるようにした庇の取付構造を提供することができる。
請求項５記載の発明によれば、上記した請求項１記載の発明の効果に加え、上から見ると（平面視で）胴差を挟んで胴差の両面に片持ち用板部材と補強材とが一直線になるように取り付けられている。片持ち用板部材が庇の重みで力のモーメントにより胴差の上部を建物の外側方向に引っ張り、全体として庇を捻れさせるように胴差を変形させようとしても、この胴差の片持ち用板部材が取り付けられた位置の建物側の上部の位置に補強材の一端が固定されていることで、効果的に胴差の上部の上述したような変形が抑えられるようにした庇の取付構造を提供することができる。
【図面の簡単な説明】
【００１７】
【図１】本発明の第１の実施の形態であって、庇の取付構造の縦断面図である。
【図２】図１の庇の取付構造に用いられる軒先部品の斜視図（Ａ）及び断面図（Ｂ）である。
【図３】本発明の第１の実施の形態であって、庇の取付構造の平面図である。
【図４】本発明の第１の実施の形態であって、建物の正面図である。
【図５】本発明の第１の実施の形態であって、建物の側面図である。
【図６】本発明の第２の実施の形態であって、庇の取付構造の平面図である。
【発明を実施するための形態】
【００１８】
（第１の実施の形態）
本実施の形態における庇20の取付構造は、木造の建物10における１階の玄関12や正面開口部14の上部に適用され得るものである（図４参照）。
図１に示すように、本実施の形態における庇20の取付構造は、２階の床の高さで建物10の周りを巡る胴差18に庇20が片持ち状に取り付けられているものである。なお、庇20が取り付けられる胴差18は、２階の床の位置に限定されるものではなく、２階以上の建物10における上階の床の高さに設けられた胴差18に適用可能なものである。
【００１９】
本実施の形態における庇20は、縦方向に立てた状態で胴差18に取り付けられる複数の片持ち用板部材22と、この片持ち用板部材22の上端面に固定されて複数の片持ち用板部材22間を覆う屋根部材30とを備えている。
片持ち用板部材22は、全体形状が直角三角形状の板材である。この片持ち用板部材22の直角三角形状の直角部分に隣接する辺側にある端面が胴差18に片持ち状に取り付けられている。この片持ち用板部材22は斜辺を上側に向けて建物10の外側に向かって突出するように配置されている。この片持ち用板部材22の建物10側の端面には、胴差18に取り付けられる取付部24が設けられている。取付部24では、断面がＬ字状に折れ曲がった取付金具26が片持ち用板部材22の側面と胴差18の外側表面とにより構成される入り隅に締結部材28（ねじ）で固定されている。具体的には、取付金具26のＬ字状の一方の片が胴差18の外側表面に締結部材28で固定され、Ｌ字状の他方の片が片持ち用板部材22の側面に締結部材28で固定されることで、片持ち用板部材22と胴差18とが接合（固定）されている。なお、取付金具26及び締結部材28は、いずれもステンレスの同種金属からなる。この取付金具26は、１つの片持ち用板部材22の両側面のうち一方側の側面において縦方向に２個設けられている。片持ち用板部材22の両側面のうち取付金具26を配置していない側面には、当て木60が固定されているか、または、当て木60を用いずに同一寸法形状の片持ち用板部材22が重ねて固定されている（図３参照）。もちろん、片持ち用板部材22の両側面に取付金具26を設けるようにしてもよい。
【００２０】
取付部24は、胴差18の成未満の範囲に取り付けられている。上下２個の取付金具26の取付範囲は、締結部材28による胴差18の割れや破損を防ぐために、上側の取付部24は胴差18の上端から僅かに下側の位置に固定され、下側の取付部24は胴差18の下端から僅かに上側の位置に固定されている。すなわち、上下２個の取付金具26の取付範囲は胴差18の成未満の範囲になっている。
なお、取付金具26の個数は、上述したように１つの（又は１組）の片持ち用板部材22に対して２個に限定されるものではなく、１個又は３個以上としてもよい。
【００２１】
ここで、取付部24は、上述したような取付金具26及び締結部材28によって取り付けられるものに限定されるものではなく、他の形状の取付金具26を用いるものでもよい。さらに、上述したような取付金具26を用いずにねじや釘等の締結部材28だけで取り付けられるようなものも含まれる。
複数の片持ち用板部材22は、前記取付部24により胴差18の室外側表面に所定間隔を空けて固定されている（図３参照）。
屋根部材30は、片持ち用板部材22の上端面側に位置して片持ち用板部材22間を覆うものである。具体的には、屋根部材30は、片持ち用板部材22の上端面に固定される木質の構造用合板からなる野地板32と、この野地板32の上面に固定される薄板金属からなる板金部材34とから構成されている。この板金部材34は、片持ち用板部材22の建物10から突出する先端側で折り返され、庇20の軒天側にまで回り込んで釘等により固定されている。この、庇20の先端に位置する板金部材34を軒先部品35と称する（図１参照）。
【００２２】
前記軒先部品35は、図２に示すように、屋根側に位置する上片35aと、屋根裏側に位置する下片35bとにより、先端縁35cが鋭角に折り返された形状を呈している。前記上片35aの後端縁は、この軒先部品35のすぐ上側に位置する板金部材34の先端縁の下向きの折り返しと係合するように上向きの折り返し35dとして形成されている。一方、前記下片35bの中間部には、先端縁と平行な上向きの凹状としての水切り35eが形成されている。また、同じく下片35bの後端部には断面Ｌ字状の軒天受け35fが形成されている。この軒天受け35fには、後述する軒天井板42の先端縁が突き当たる。さらに、前記水切り35eの先端側下端縁には複数個の水切り孔35gが形成されている。なお、図２（Ｂ）はこの水切り孔35gを通る断面を示している。
【００２３】
片持ち用板部材22の下面側の端面には、木質の構造用合板である軒天板40が固定され、この軒天板40により片持ち用板部材22間の下面側（軒天側）が覆われている。この軒天板40の下面には、不燃材としての軒天井板42が固定されている。
複数の片持ち用板部材22間の屋外側の先端には、釘やネジ等により屋根部材30や軒天板40や軒天井板42を支持し、これらの変形を防ぐための木質からなる第１受材36及び第２受材38が軒先と平行に設けられている。また、複数の片持ち用板部材22間の胴差18には、釘やネジ等により軒天板40や軒天井板42を支持するための第３受材39が固定されている（図１参照）。
【００２４】
胴差18は、２階の床の高さで建物10の周りを巡り縦断面が長方形からなる木質の横材である。この胴差18の上端面に２階床の構造用合板からなる床下地材52が固定されている。この床下地材52の室内側の上面には、床材53が固定されている。
床下地材52の下面には、横架材54としての床根太56及び床小梁58の上面が固定されている。具体的には、床小梁58に落とし込みの床根太56を設けて、床小梁58の上面と床根太56の上面とが面一になるように形成されている。そして、横架材54としての床根太56及び床小梁58の上面が、床下地材52の下面に固定されている。なお、これらの固定は、釘やネジにより固定されているものであるが、金属からなる特殊な金具により固定するようにしてもよく、また、接着剤等により接着してもよい。
【００２５】
上述したように本実施の形態では、床小梁58及び床根太56の上面が面一となって床下地材52に固定されているが、特にこのような構造に限定されるものではない。例えば、床小梁58及び床根太56の上面が面一でないような場合には、床下地材52の下面に横架材54としての床根太56の上面だけが固定されるようにしてもよい。具体的には、胴差18に木質からなる床小梁58が固定され、この床小梁58の上部に木質からなる床根太56が固定され、この床根太56の上面に床下地材52が固定されるようなものである。
胴差18と、建物10の正面側から１番目の床根太56との間には、両者を固定するための補強材50が設けられている。補強材50の胴差18側の端部が胴差18の室内側表面に固定され、補強材50の前記端部の反対側（床根太56側）の端部が床根太56に固定されている。さらに、補強材50の上部は床下地材52に固定されている。この補強材50は、その断面形状が床根太56と同一寸法形状のものが用いられている。
【００２６】
補強材50は、胴差18の長手方向に対して、所定の間隔で複数個設けられている。補強材50の胴差18側の端部は、胴差18の片持ち用板部材22が固定された位置の建物側（室内側）の位置に固定されている（図３参照）。
胴差18の下側及び上側には、内側壁86が設けられ、この内側壁86の室外側には、外側壁70が設けられている。
外側壁70は、内側壁86の室外側に固定される室外壁78と、この室外壁78の屋外側の胴縁84を挟んで室外壁78の屋外側に固定される屋外壁72とが設けられている。室外壁78と屋外壁72との間には胴縁84が挟まれて胴縁84の厚さだけ両者が離れた状態となって、その内部を空気が移動可能な連通空間88が形成されている。庇20の上下に近接する連通空間88の入り口部分には、連通空間88への空気の出入りを確保しつつ虫等の侵入を防ぐための換気部材82が設けられている。
【００２７】
室外壁78は、特に図示していないが、内側壁86の室外側に固定される室外側面状体と、この室外側面状体の室外側に貼付される室外側シート材（透湿防水シート）とから構成されている。
屋外壁72は、特に図示していないが、胴縁84の屋外側に固定される屋外側面状体と、この屋外側面状体の屋外側に貼付される防水シートと、防水シートの屋外側に固定される外表面材とから構成される。
図３に示すように、片持ち用板部材22と、補強材50とは、上から見て胴差18を挟んだ状態で胴差18の両面側に一直線上になるように配置されている。
【００２８】
複数の片持ち用板部材22は、胴差18の長手方向に所定間隔を空けて固定され、同様に補強材50も胴差18の長手方向に前記所定間隔を空けて固定されている。
建物10の正面側には、複数の柱17が設けられ、２階床の荷重が胴差18により前記複数の柱17に伝えられる構造となっている。また、胴差18の柱17（建物10の角部を除く）を設けた位置には、床小梁58の端部が固定されている。床小梁58と直交する方向に所定の間隔で床根太56が設けられている。補強材50は、胴差18の室内側表面と、建物10の正面側から数えて１番目の床根太56との間に設けられている。
【００２９】
図４に示すように、建物10の正面側の玄関12及び正面開口部14の上部を結ぶ部分の胴差18に庇20が固定されている。胴差18の成の範囲の狭い領域に庇20が収まっているため、建物10正面からの外観は庇20の厚みが薄いものになっている。
図５に示すように、庇20の厚みは胴差18の成の範囲に収まる程度の薄いものにもかかわらず、建物10の外側への突出長さは、玄関12や正面開口部14への雨の入り込み等を防ぐ庇20としての機能を充分に有する突出長さが確保されている。
（作用及び効果）
本実施の形態では、２階床の床下地材52の下面が胴差18の上端面に固定されていることで胴差18が拘束される。これにより、胴差18の変形を抑えることができる。特に庇20の重みが加わることによる（力のモーメントによる）胴差18の捻れの発生を抑えることができて、庇20が取り付けられる部分（胴差18）の強度及び剛性を向上させることができる。
【００３０】
本実施の形態では、胴差18の成の範囲だけで庇20を取り付けることができるため、庇20の建物10の外側への突出長さが長くなっても、庇20の全体形状を厚さ方向に薄いものにすることができる。例えば２階の床構造材（胴差18や床根太56や小梁58）とまぐさとの間に庇20を設けるようなものと比較して、本実施の形態に係る庇20の取付範囲（上下方向の範囲）を小さな領域にまとめることができる。
また、本実施の形態では、玄関12や正面開口部14のまぐさを庇20の取り付けに利用せずに、庇20の取付部24は胴差18の成の範囲に取り付けられている。このため、玄関12や正面開口部14の位置（具体的には、まぐさの位置）に制限が無く、建物10の構造設計の自由度を増すことができる。本実施の形態では、玄関12の上端と庇20との間や、正面開口部14の上端と庇20との間は、それぞれ間隔が空くように設けられているが、この間隔をほとんど無くして、胴差18と玄関12や正面開口部14の上端位置にあるまぐさとの距離を無くすようにすると、建物10の庇20の下側部分のより広い領域を玄関12や正面開口部14にすることが可能となる。
【００３１】
これにより、建物10に庇20を設ける場合の設計の自由度が増し、意匠的に優れた庇20を設けることができ、建物10の設計の自由度も増加させることができる。
本実施の形態では、床下地材52の下面に横架材54としての床根太56が固定されていることで床下地材52の剛性を高くすることができ、床下地材52の変形を抑えることができる。これにより、床下地材52に上端が固定されている胴差18の剛性をより高くすることができて、胴差18の変形も抑えることができる。結果として庇20の重みによる胴差18の変形をさらに抑えることができる。
【００３２】
本実施の形態では、補強材50の一方側（胴差18側）の端部は胴差18の上部の室内側表面に固定され、補強材50の他方側（床根太56側）の端部は床根太56に固定され、補強材50の上部は床下地材52に固定されていることで、胴差18の上部と床根太56とが補強材50及び床下地材52により拘束され、胴差18の上部と床根太56との距離が一定に維持される。これにより、庇20の重みによる胴差18上部の建物10の外側方向への変形が抑えられ、胴差18の捻れの発生をさらに抑えることができる。
すなわち、胴差18が、床下地材52、補強材50及び床根太56により拘束されることで庇20が取り付けられる部分（胴差18）の剛性をさらに高めて胴差18の変形をさらに抑えることができる
さらに本実施の形態では、床小梁58の上面も床下地材52に固定しているため、床根太56及び床小梁58の両方で床下地材52を拘束することができ、床下地材52の剛性をさらに高めることができ、それに伴って床下地材52が固定される胴差18の剛性もさらに高めることができる。結果として、胴差18が、床下地材52、補強材50、床根太56及び床小梁58により拘束されることで庇20が取り付けられる部分（胴差18）の剛性をさらに高めて胴差18の変形をさらに抑えることができる。
【００３３】
本実施の形態では、片持ち用板部材22が、いわゆる壁構造となり、屋根部材30がそれらに固定されることで両者を拘束し、骨組構造により構成されるような庇20と比べても全体として剛性が向上した庇20を形成することができる。
補強材50の一方側（胴差18側）の端部は、胴差18の片持ち用板部材22が固定された位置の建物10側の位置に固定されている。すなわち、胴差18の一方側の面に片持ち用板部材22の端部が固定され、胴差18の他方側の面であって、片持ち用板部材22が固定された位置と対応する位置に補強材50の端部が固定されている。上から見ると（平面視で）胴差18を挟んで胴差18の両面に片持ち用板部材22と補強材50とが一直線上に並ぶように配置されている。片持ち用板部材22が庇20の重みで力のモーメントにより胴差18の上部を建物10の外側方向に引っ張り、全体として庇20を捻れさせるように胴差18を変形させようとしても、当該部分の胴差18の室内側の上部に補強材50の一端が固定されていることで胴差18が拘束され、胴差18の上部の上述したような変形が効果的に抑えられる。すなわち、片持ち用板部材22が庇20の重みで力のモーメントにより胴差18の上部を建物10の外側方向に引っ張っても、片持ち用板部材22と補強材50とが一直線上に並んでいることで、その引っ張る力が加わる位置の胴差18の変形を補強材50により効果的に抑えることができる。
【００３４】
（第２の実施の形態）
第１の実施の形態では、胴差18と、建物10の正面側から１番目の床根太56との間には、両者を固定するための補強材50が設けられていた。
本実施の形態では、図６に示すように、建物10の正面側から１番目の床根太56と、２番目の床根太56との間に両者を固定するための追加材51が設けられているものである。
追加材51の一方の端部が建物10の正面側から１番目の床根太56に固定され、追加材51の他方の端部が建物10の正面側から２番目の床根太56に固定されている。さらに、追加材51の上部は床下地材52に固定されている。
【００３５】
ここで、補強材50の長手方向の長さが胴差18から前記１番目の床根太56までの長さに設定されているのに対して、追加材51の長手方向の長さは前記１番目の床根太56と前記２番目の床根太56との間の距離に設定されている。追加材51は、補強材50よりも長手方向の長さが長くなるように形成されている。本実施の形態では、追加材51の断面形状は、補強材50及び床根太56の断面形状と同一のものが用いられている。なお、追加材51の断面形状は、そのような断面形状に限定されるものではなく、他の形状の断面形状にすることもできる。
【００３６】
追加材51の前記一方の端部は、補強材50が固定された床根太56の表面の位置の反対側の表面の位置に固定されている。上から見ると、補強材50と、追加材51とが、建物10の正面側から１番目の床根太56を挟んで１直線上に並ぶように配置されている。結果として、上から見ると、片持ち用板部材22と、補強材50と、追加材51との３つの部材が、胴差18及び床根太56（前記１番目の床根太56）を挟んで１直線上に並ぶように配置されている。
なお、追加材51の個数は、補強材50の個数に対応して設けられているが、これに限定されるものではなく、補強材50よりも少ない個数や、多い個数設けるようにすることも可能であり、また、追加材51の設置箇所も補強材50に対応しないような位置に設けることも可能である。
【００３７】
また、追加材51は、建物10の正面側から１番目の床根太56と、２番目の床根太56との間に設けられていたが、さらに、これらに加えて、建物10の正面側から２番目の床根太56と、３番目の床根太56との間に設けてもよく、さらに、これらに加えて、３番目の床根太56と、４番目の床根太56との間に設けてもよく、さらに、これらに加えて、追加材51を延長して、ｎ番目の床根太56と、ｎ＋１番目の床根太56との間に設けてもよい。追加材51を増やすほど、床下地材52の拘束をより強くし、床下地材52に固定される胴差18の変形を抑えることが可能となる。
【００３８】
片持ち用板部材22が庇20の重みで力のモーメントにより胴差18の上部を建物10の外側方向に引っ張り、全体として庇20を捻れさせるように胴差18を変形させようとしても、上述したように補強材50、追加材51、前記１番目及び前記２番目の床根太56が固定されていることで、床下地材52を拘束し、胴差18の上部が室外側に向かって引っ張られるような変形が抑えられる。
さらに片持ち用板部材22が庇20の重みで力のモーメントにより胴差18の上部を建物10の外側方向に引っ張っても、片持ち用板部材22と補強材50と追加材51とが一直線に並んでいることで、その引っ張る力が加わる箇所の変形をさらに効果的に抑えることができる。
【００３９】
本実施の形態に係る庇20の取付構造は、積雪地のように庇20の上に雪が積もって胴差18に加わる荷重が大きくなるような地域の建物10に好適なものである。
【符号の説明】
【００４０】
10  建物                                12  玄関
14  正面開口部                          16  窓
17  柱                                  18  胴差
20  庇                                  22  片持ち用板部材
24  取付部                              26  取付金具
28  締結部材                            30  屋根部材
32  野地板                              34  板金部材
35  軒先部品                            35a  上片
35b  下片                                35c  先端縁
35d  折り返し                            35e  水切り
35f  軒天受け                            35g  水抜き孔
36  第１受材                            38  第２受材
39  第３受材                            40  軒天板
42  軒天井板                            50  補強材
51  追加材                              52  床下地材
53  床材                                54  横架材
56  床根太                              58  床小梁
60  当て木                              70  外側壁
72  屋外壁                              78  室外壁
82  換気部材                            84  胴縁
86  内側壁                              88  連通空間
【図１】
2015209681.tif 000003
【図２】
2015209681.tif 000004
【図３】
2015209681.tif 000005
【図４】
2015209681.tif 000006
【図５】
2015209681.tif 000007
【図６】
2015209681.tif 000008